(57)【特許請求の範囲】
【請求項１】
シャーシ上に移動自在に設けられ、情報記憶媒体に対し情報処理を施す情報処理手段と、
駆動モータを有し、この駆動モータの駆動により前記情報処理手段を情報記憶媒体に沿って移動させる駆動手段と、
板金、ダイキャスト、或いは樹脂モールドの何れかにより、起立部とこの起立部に直交する水平部からなるＬ字状に成形されて前記水平部を介して前記シャーシ上に取り付けられ、前記駆動モータの端面部を前記起立部に取り付けることにより、前記駆動モータをその側面部が前記水平部に離間対向する状態で保持する保持手段と、
この保持手段の水平部と前記駆動モータの側面部との間に介在され前記駆動モータから放出する熱を前記シャーシに伝導する熱伝導部材と、
を具備することを特徴とする情報処理装置。
【発明の詳細な説明】
【０００１】
【発明の属する技術分野】
本発明は例えば、光ディスク装置として適用される情報処理装置に関する。
【０００２】
【従来の技術】
この種の情報処理装置は光学ヘッドを備え、この光学ヘッドを光ディスクの径方向に沿って移動させることにより、光ディスクに光を走査して情報処理するようになっている。
【０００３】
光学ヘッドは例えば、ラックピニオン方式、或いはリードスクリュー方式により移動される。装置の小型化のためにはリードスクリュー方式が優れていることからリードスクリュー方式が広く用いられている。
【０００４】
リードスクリュー方式は光学ヘッドに送りラックを有する連結具を設け、この連結具の送りラックを螺旋を切ったリードスクリューに噛合させている。光学ヘッドは駆動モータによりリードスクリューが回転されることにより、送りラックを介してガイドシャフトに沿って移動される。
【０００５】
ところで、リードスクリューの駆動モータとしてはＤＣモータが多く用いられている。特に、リードスクリュー方式の場合、ＤＣモータの本体直径よりも本体の軸方向の長さの方が長い、所謂、縦長モータが良く用いられている。
【０００６】
この駆動モータはその端面部が例えば、板金製のモータホルダに取り付けらてシャーシ上に保持されている。
【０００７】
【発明が解決しようとする課題】
しかしながら、従来においては、縦長の駆動モータの場合、その端面の面積が小さいため、モータホルダとの接触面積が小さくなり、駆動モータが発生する熱の伝達効率が悪くなる。特に、コスト低減のために板金や樹脂モールドで成形されたモータホルダを用いた場合には熱の伝達が悪かった。
【０００８】
光学ヘッドの移動速度の高速化、即ち、シーク高速化のためには、駆動モータに流す電流を大きくしたいが、駆動モータの放熱特性が悪いと駆動モータが異常に高温になり耐久性が悪化する等の問題があった。
【０００９】
また、縦長モータはその長さが長い割にはモータホルダの剛性が低いため、シーク動作時等に駆動モータのロータの動きの反作用によって駆動モータ自体が振動し、騒音を発生したり、精密な制御が難しくなったりするといった問題もあった。
【００１０】
そこで、本発明は駆動モータの放熱特性の向上と、シーク時の振動の低減を図ることができるようにした情報処理装置を提供することを目的とする。
【００１１】
【課題を解決するための手段】
上記課題を解決するため、本発明は、シャーシ上に移動自在に設けられ、情報記憶媒体に対し情報処理を施す情報処理手段と、駆動モータを有し、この駆動モータの駆動により前記情報処理手段を情報記憶媒体に沿って移動させる駆動手段と、板金、ダイキャスト、或いは樹脂モールドの何れかにより、起立部とこの起立部に直交する水平部からなるＬ字状に成形されて前記水平部を介して前記シャーシ上に取り付けられ、前記駆動モータの端面部を前記起立部に取り付けることにより、前記駆動モータをその側面部が前記水平部に離間対向する状態で保持する保持手段と、この保持手段の水平部と前記駆動モータの側面部との間に介在され前記駆動モータから放出する熱を前記シャーシに伝導する熱伝導部材とを具備する。
【００１４】
【発明の実施の形態】
以下、本発明を図面に示す実施の形態を参照して説明する。
【００１５】
図１は情報処理装置としての光ディスク装置の内部に設けられる情報処理機構を示す斜視図である。
【００１６】
図中１は金属製のシャーシで、このシャーシ１上には情報記憶媒体としての光ディスク２を装着して回転させるスピンドルモータ３が設けられている。また、シャーシ１上には光ディスク２に対して情報処理を施す情報処理手段としての光学ヘッド４が設けられている。光学ヘッド４は光ディスク２の径方向に沿って移動するスライダ５に搭載されている。スライダ５の両側部は脚部５ａ，５ｂ，５ｃを介してガイドシャフト６，７にスライド自在に支持されている。ガイドシャフト６，７の両端部は停止用のストッパ８，８を介してシャーシ１に保持されている。
【００１７】
スライダ５の一側部には図２にも示すように、脚部５ａ，５ｂ間に位置して連結具１６が設けられ、この連結具１６を介してスライダ５とリードスクリュー１０とが連結されている。リードスクリュー１０はガイドシャフト６に対して平行に設けられ、その両端部は支持具１１，１１を介してシャーシ１に回転自在に支持されている。リードスクリュー１０の一端部には送りギヤ１２が取り付けられ、この送りギヤ１２には駆動ギヤ１５を介して駆動モータとしての送りモータ１４が接続されている。送りモータ１４としてはＤＣモータが用いられる。
【００１８】
情報処理時にはスピンドルモータ３に光ディスク２が装填され、スピンドルモータ３の駆動により光ディスク２が回転されるとともに、光学ヘッド４から光ディスク２に光が照射される。また、このときには送りモータ１４が駆動され、駆動ギヤ１５及び送りギヤ１２を介してリードスクリュー１０が回転される。この回転により、連結具１６を介して光学ヘッド４を搭載するキャリッジ５がガイドシャフト６，７に沿って移動する。これにより、光学ヘッド４から照射された光が光ディスク２の径方向に沿って走査され情報の読取或いは書込等の処理が行われることになる。
【００１９】
図２は上記した送りモータ１４を示す斜視図で、図３はその正面図である。
【００２０】
送りモータ１４はその直径より軸方向の長さが長い所謂、縦長のモータで、保持手段としてのモータホルダ２１によりシャーシ１上に保持されている。
【００２１】
モータホルダ２１はＬ字状をなし、起立部としての起立壁２１ａとこの起立壁２１ａに直交する水平部としての底壁部２１ｂを有する。送りモータ１４はモータホルダ２１の起立壁２１ａに端面部がネジ締めにより取り付けられて保持されている。
【００２２】
モータホルダ２１の底壁部２１ｂと送りモータ１４の底面部との間には熱伝導部材としてのシリコン製の放熱シート材２３が介在されている。放熱シート材２３は送りモータ１４の軸方向の長さＬの１／２以上の長さｌを有している。
【００２３】
なお、モータホルダ２１としては板金に限られることなく、ダイキャストによりＬ字状に成形されるものであっても良い。
【００２４】
また、モータホルダ２１は樹脂モールドによりＬ字状に成形されるものであっても良い。
【００２５】
次に、送りモータ１４の駆動時における放熱状態について説明する。
【００２６】
送りモータ１４が駆動すると熱が発生し、この熱は矢印で示すように伝達され、モータホルダ２１の起立壁２１ａを介してシャーシ１に放出されるとともに、放熱シート材２３を介してモータホルダ２１の底壁部２１ｂに伝達されてシャーシ１に放出される。
【００２７】
上記したように、送りモータ１４で発生する熱を広い面積の放熱シート材２３を介してシャーシ１に放出するため、放熱特性が大幅に向上し、実際に適用した効果としては、送りモータ１４とシャーシ１との温度差が２／３以下に低減された。
【００２８】
なお、従来においては、モータホルダ２１の狭い断面積の起立壁２１ａのみを介してシャーシ１に熱が伝わっていたため、放熱特性が悪いものとなっていた。
【００２９】
また、送りモータ１４の駆動時には振動が発生するが、この振動は放熱シート材２３によって吸収して減衰することができる。従って、シーク時の騒音を低減できるとともに、シーク精度も向上できる。
【００３０】
なお、振動吸収効率を考慮した場合、放熱シート材２３の長さｌを送りモータ１４の軸方向の長さＬの１／２以上の長さとする必要がある。
【００３１】
また、送りモータ１４をモータホルダ２１にネジ締めするまでは送りモータ１４を何らかの手段で保持しておく必要があるが、放熱性シート材２２の適度な粘着性により送りモータ１４を仮保持することが可能となる。従って、ネジ締めまで問に送りモータ１４とモータホルダ２１を保持し続ける手間が省け、組立性も向上することができる。
【００３２】
図４は本発明の第２の実施の形態を示すであるものである。
【００３３】
上記した第１の実施の形態では底壁部２１ｂを有するモータホルダ２１を用いて送りモータ１４を保持した場合について説明したが、第２の実施の形態では底壁部２１ｂのないモータホルダ３１を用いて送りモータ１４を保持した場合について示すものである。
【００３４】
即ち、第２の実施の形態では、送りモータ１４の底面部とシャーシ１との間に放熱シート材２３を介在させている。
【００３５】
この第２の実施の形態によっても上記した第１の実施の形態と同様の作用効果が得られる。
【００３６】
【発明の効果】
本発明は以上説明したように、駆動モータから放出される熱をシャーシに伝導する熱伝導部材を備えたから、駆動モータからの発熱を速やかにシャーシに伝達して放出することができる。従って、駆動モータの温度上昇を防止でき、耐久性を向上できるという効果を奏する。
【００３７】
また、駆動モータの駆動時に発生する振動は熱伝導部材により吸収することができ、騒音を大幅に低減することができる、
さらに、熱伝導部材の適度な粘着性により駆動モータを仮保持することが可能となり、駆動モータのネジ締めまで間、駆動モータを保持し続ける手間が省け、組立性も向上することができる。
【図面の簡単な説明】
【図１】本発明の一実施の形態である光ディスク装置の内部構成を示す斜視図。
【図２】モータホルダに保持された送りモータを示す斜視図。
【図３】モータホルダに保持された送りモータを示す正面図。
【図４】本発明の第２の実施の形態である送りモータの保持構造を示す正面図。
【符号の説明】
１…シャーシ
２…光ディスク（情報記憶媒体）
４…光学ヘッド（情報処理手段）
１４…送りモータ（駆動モータ）
２１…モータホルダ（保持部材）、
２１ａ…起立壁（第１面部）
２１ｂ…底壁面部（第２面部）
２３…放熱シート材（熱伝導部材）、
３１…保持手段、
【図１】
0003983955.tif 000002
【図２】
0003983955.tif 000003
【図３】
0003983955.tif 000004
【図４】
0003983955.tif 000005